【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】
蛍光体を組成する元素を含む原料のうち、不純物含有量が１００ｐｐｍ以下のものを少なくとも１種類用いて蛍光体を製造する蛍光体の製造方法であって、
前記蛍光体を組成する元素を含む原料を液相中で反応させる工程を含むことを特徴とする蛍光体の製造方法。
【請求項２】
請求項１に記載の蛍光体の製造方法において、
前記不純物含有量が１０ｐｐｍ以下であることを特徴とする蛍光体の製造方法。
【請求項３】
請求項１又は２に記載の蛍光体の製造方法により製造されたことを特徴とする蛍光体。
【請求項４】
蛍光体粒子に含まれる元素のうち、蛍光体を組成する元素以外の不純物元素の含有量が１ｐｐｍ以下であることを特徴とする蛍光体。
【請求項５】
請求項４に記載の蛍光体において、
前記不純物元素は、アルカリ金属、アルカリ土類金属、Ｔｉ、Ｆｅ、Ｃｕ、Ｎｉ、Ｃｒ及びＡｌから選ばれる少なくとも１種類の元素であることを特徴とする蛍光体。
【請求項６】
請求項３〜５のいずれか一項に記載の蛍光体において、
平均粒径が０．０１〜１μｍであることを特徴とする蛍光体。
【請求項７】
請求項３〜６のいずれか一項に記載の蛍光体を含有する蛍光層を有することを特徴とするプラズマディスプレイパネル。
【手続補正２】
【補正対象書類名】明細書
【補正対象項目名】０００６
【補正方法】変更
【補正の内容】
【０００６】
【課題を解決するための手段】
上記課題を解決するために、請求項１に記載の発明は、蛍光体を組成する元素を含む原料のうち、不純物含有量が１００ｐｐｍ以下のものを少なくとも１種類用いて蛍光体を製造する蛍光体の製造方法であって、前記蛍光体を組成する元素を含む原料を液相中で反応させる工程を含むことを特徴とする。
【手続補正３】
【補正対象書類名】明細書
【補正対象項目名】０００７
【補正方法】変更
【補正の内容】
【０００７】
請求項１に記載の発明によれば、高純度であり、発光効率の高い蛍光体を得ることができる。
更に、請求項１に記載の発明によれば、液相中で蛍光体を組成する元素を含む原料を反応させることにより、原料に混入した不純物を除去し、さらに高純度の蛍光体を製造することができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項３に記載の発明の蛍光体は、請求項１又は２に記載の蛍光体の製造方法により製造されたことを特徴とする。
【手続補正７】
【補正対象書類名】明細書
【補正対象項目名】００１３
【補正方法】変更
【補正の内容】
【００１３】
請求項３に記載の発明によれば、高純度であり発光強度の高い蛍光体であるので、ＰＤＰの蛍光体層に用いた場合、パネル輝度を向上することができる。
【手続補正８】
【補正対象書類名】明細書
【補正対象項目名】００１４
【補正方法】変更
【補正の内容】
【００１４】
請求項４に記載の発明の蛍光体は、蛍光体粒子に含まれる元素のうち、蛍光体を組成する元素以外の不純物元素の含有量が１ｐｐｍ以下であることを特徴とする。
【手続補正９】
【補正対象書類名】明細書
【補正対象項目名】００１５
【補正方法】変更
【補正の内容】
【００１５】
請求項４に記載の発明によれば、不純物元素の含有量が１ｐｐｍ以下であるので、発光効率を高めることができる。
【手続補正１０】
【補正対象書類名】明細書
【補正対象項目名】００１６
【補正方法】変更
【補正の内容】
【００１６】
請求項５に記載の発明は、請求項４に記載の蛍光体において、前記不純物元素は、アルカリ金属、アルカリ土類金属、Ｔｉ、Ｆｅ、Ｃｕ、Ｎｉ、Ｃｒ及びＡｌから選ばれる少なくとも１種類の元素であることを特徴とする。
【手続補正１１】
【補正対象書類名】明細書
【補正対象項目名】００１７
【補正方法】変更
【補正の内容】
【００１７】
請求項５に記載の発明によれば、発光効率の低下に繋がり得るこれらの元素の含有量が１ｐｐｍ以下であるので発光効率の低下を防ぐことができる。
【手続補正１２】
【補正対象書類名】明細書
【補正対象項目名】００１８
【補正方法】変更
【補正の内容】
【００１８】
請求項６に記載の発明は、請求項３〜５のいずれか一項に記載の蛍光体において、平均粒径が０．０１〜１μｍであることを特徴とする。
【手続補正１３】
【補正対象書類名】明細書
【補正対象項目名】００１９
【補正方法】変更
【補正の内容】
【００１９】
請求項６に記載の発明によれば、蛍光体の平均粒径が０．０１〜１μｍと極めて微粒子であることにより、発光に寄与する面積を増加することができ、発光効率をより高めることができる。
【手続補正１４】
【補正対象書類名】明細書
【補正対象項目名】００２０
【補正方法】変更
【補正の内容】
【００２０】
請求項７に記載の発明は、請求項３〜６のいずれか一項に記載の蛍光体を含有する蛍光層を有することを特徴とする。
【手続補正１５】
【補正対象書類名】明細書
【補正対象項目名】００２１
【補正方法】変更
【補正の内容】
【００２１】
請求項７に記載の発明によれば、請求項３〜６のいずれか一項に記載の蛍光体を含有する蛍光体層を有することにより、パネル輝度が向上する。
【手続補正１６】
【補正対象書類名】明細書
【補正対象項目名】０１１０
【補正方法】変更
【補正の内容】
【０１１０】
【発明の効果】
請求項１に記載の発明によれば、高純度であり、発光効率の高い蛍光体を得ることができる。
更に、請求項１に記載の発明によれば、液相中で蛍光体を組成する元素を含む原料を反応させることにより、原料に混入した不純物を除去し、さらに高純度の蛍光体を製造することができる。
【手続補正１７】
【補正対象書類名】明細書
【補正対象項目名】０１１２
【補正方法】削除
【補正の内容】
【手続補正１８】
【補正対象書類名】明細書
【補正対象項目名】０１１３
【補正方法】変更
【補正の内容】
【０１１３】
請求項３に記載の発明によれば、高純度であり発光強度の高い蛍光体であるので、ＰＤＰの蛍光体層に用いた場合、パネル輝度を向上することができる。
【手続補正１９】
【補正対象書類名】明細書
【補正対象項目名】０１１４
【補正方法】変更
【補正の内容】
【０１１４】
請求項４に記載の発明によれば、不純物元素の含有量が１ｐｐｍ以下であるので、発光効率を高めることができる。
【手続補正２０】
【補正対象書類名】明細書
【補正対象項目名】０１１５
【補正方法】変更
【補正の内容】
【０１１５】
請求項５に記載の発明によれば、発光効率の低下に繋がり得るこれらの元素の含有量が１ｐｐｍ以下であるので発光効率の低下を防ぐことができる。
【手続補正２１】
【補正対象書類名】明細書
【補正対象項目名】０１１６
【補正方法】変更
【補正の内容】
【０１１６】
請求項６に記載の発明によれば、蛍光体の平均粒径が０．０１〜１μｍと極めて微粒子であることにより、発光に寄与する面積を増加することができ、発光効率をより高めることができる。
【手続補正２２】
【補正対象書類名】明細書
【補正対象項目名】０１１７
【補正方法】変更
【補正の内容】
【０１１７】
請求項７に記載の発明によれば、請求項３〜６のいずれか一項に記載の蛍光体を含有する蛍光体層を有することにより、パネル輝度が向上する。